(57)【要約】【課題】省エネ型で環境にやさしい発電装置の提供。【解決手段】本発明は省エネ型で環境にやさしい発電装置に関するものであり、少なくとも１つの始動装置、発電装置、変速ギヤ装置、及び少なくとも１つの重み付けシステムを含む。変速ギヤ装置の回転比と外部電源は始動装置を始動するのに用いられる。始動装置の本来のエネルギーの数倍になっているエネルギーを放出するため、大小異なるギヤの変速はトルクを作り出す。そして当該重み付けシステムは回転し、重力を作り出して多くのエネルギーを放出し、そして発電の負荷と発電装置による電力消費の負荷のバランスを保つのに供される。このようにして発電装置を始動させることができる。発電装置が発電の定格速度に達した時、電力の一部は、始動装置に直接伝送され、それにより発電のための操作が継続できるのである。【選択図】図１
2006300058.tif 000002
【特許請求の範囲】
【請求項１】
以下を有することを特徴とする省エネ型で環境にやさしい発電装置であり、それは少なくとも１つの始動装置、発電装置、重み付けシステム、配線システム、及び変速ギヤ装置により構成され、
当該重み付けシステムは発電装置と同軸上に設置されたフライホイールであり、当該重み付けシステムは回転して重力速度を生み出し、発電の負荷と電力消費の負荷のバランスを保つための多くのエネルギーを生成し、
当該発電装置は発電を行い、
当該始動装置は電源の始動装置に電気接続され発電装置を始動、駆動させ、
当該配線システムは発電装置の出力端部及び始動装置の入力端部に電気接続され、
当該変速ギヤ装置は複数のギヤにより構成され、これにより発電装置の電力を始動装置に伝送し、
及び、変速ギヤ装置の回転比は多くのエネルギーを放出するためトルクと回転速度を作り出すのに用いられ、発電の定格速度に達した時、電源の始動装置は始動装置を始動させ、そして変速ギヤ装置を通じて発電装置を直接始動させるため、電力の一部は配線システムを通して始動装置に伝送され、それにより自動操作発電機能を得て、省エネになるのであることを特徴とする省エネ型で環境にやさしい発電装置。
【発明の詳細な説明】
【技術分野】
【０００１】
本考案は省エネ型で環境にやさしい発電装置に関するものである。これは大小異なるギヤ及び相関理論（ｒｅｌａｔｉｖｅ  ｔｈｅｏｒｙ）の原理を応用したものであり、そして重み付けシステム（ｗｅｉｇｈｔｉｎｇ  ｓｙｓｔｅｍ）は発電の負荷におけるバランスを保つために用いられる。また変速ギヤの回転速度比を用い、外部電源により始動装置を始動させ、変速ギヤ装置を介して発電装置を持続的に駆動させる。発電装置が発電の定格速度に達した時、電力の一部は直接に始動装置を始動させるために用いられる。それにより発電装置を駆動、操作させるのである。即ち、始動装置を始動させるため、多くのエネルギーは大/小相関理論（ｌａｒｇｅ／ｓｍａｌｌ  ｒｅｌａｔｉｖｅ  ｔｈｅｏｒｙ）に基づき生成される。更に、フライホイールの重み付けシステムは多くのエネルギーを発生させ、発電の負荷と発電装置による電力消費の負荷の間にあるバランスをとるものである。従って、発電と電力供給の自動操作は、発電装置により生成された電力が消費電力よりも大きい限り継続することができるのである。
【背景技術】
【０００２】
人類はエネルギーを利用できる。人類は地球上に誕生した時から、人体や動物の体力を利用し、同時に太陽熱、風力、及び水力等の多種の自然エネルギー資源を用いて多方面の作業に供するエネルギー生成の知識を習得してきた。そして人類は文明の進化に伴い、石炭、石油、天然ガス、潮力、及び原子力エネルギーの使用法を習得している。これらは全て、熱エネルギー、電気エネルギー、及び機械エネルギーを生成し、より快適な生活の創造を目指すためのものである。
【０００３】
現代人は日常生活において絶えず多種多様なエネルギー資源を消費し続けている。例えば太陽エネルギーは、私たちが毎日朝焼けの光を目にする瞬間からもたらされるものである。そして消化された食物からは化学エネルギーが得られ、勤務時や学校・職場への通勤通学時等の日常生活において消費される。またオフィスの空調システムに必要なのも電力というエネルギーである。要するに、エネルギーは人類の生活で非常に重要な役割を負っているのである。現代の科学者の間で、限られたエネルギー資源をいかに効果的に使用するかという問題が、最も関心を集めているのもそのためである。
【０００４】
本発明は、最初に始動装置により多くのエネルギーを放出するための機械構造と大/小相関理論を用いるものである。本発明では、重み付けシステムを操作することでより多くのエネルギーを放出し、発電の負荷と発電装置による電力消費の負荷のバランスを保つ。発電装置は電源の始動装置により駆動され、かつ駆動には始動装置と変速ギヤ装置を介する。発電装置が発電の定格速度に達した時、電力の一部は配線システムを介して始動装置を始動させるために直接用いられ、それにより発電と電力供給のための操作が継続できるのである。
【発明の開示】
【発明が解決しようとする課題】
【０００５】
本発明の主要目的は省エネ型で環境にやさしい発電装置を提供することであり、それは外部電源を用いて始動可能な始動装置を含む。この始動装置は燃料を用いることなく、最も効果的な使用法で多くのエネルギーを放出でき、それによりエネルギー節約を行うのである。
【０００６】
本発明の副次目的は省エネ型で環境にやさしい発電装置を提供することであり、それはは変速ギヤッセンブリによる伝送を介した伝送エネルギーを利用し、それにより自動操作を用いて発電するシステムとなるのである。
【課題を解決するための手段】
【０００７】
請求項１の発明は、以下を有することを特徴とする省エネ型で環境にやさしい発電装置であり、それは少なくとも１つの始動装置、発電装置、重み付けシステム、配線システム、及び変速ギヤ装置により構成され、
当該重み付けシステムは発電装置と同軸上に設置されたフライホイールであり、当該重み付けシステムは回転して重力速度を生み出し、発電の負荷と電力消費の負荷のバランスを保つための多くのエネルギーを生成し、
当該発電装置は発電を行い、
当該始動装置は電源の始動装置に電気接続され発電装置を始動、駆動させ、
当該配線システムは発電装置の出力端部及び始動装置の入力端部に電気接続され、
当該変速ギヤ装置は複数のギヤにより構成され、これにより発電装置の電力を始動装置に伝送し、
及び、変速ギヤ装置の回転比は多くのエネルギーを放出するためトルクと回転速度を作り出すのに用いられ、発電の定格速度に達した時、電源の始動装置は始動装置を始動させ、そして変速ギヤ装置を通じて発電装置を直接始動させるため、電力の一部は配線システムを通して始動装置に伝送され、それにより自動操作発電機能を得て、省エネになるのであることを特徴とする省エネ型で環境にやさしい発電装置としている。
【発明の効果】
【０００８】
本発明は省エネ型で環境にやさしい発電装置は電力節約及び電力の十分な利用を提供するものである。残った電力はリサイクル可能であり、最も効果的な方法で使用できる。
【発明を実施するための最良の形態】
【０００９】
図１に示すように、本発明に基づく省エネ型で環境にやさしい発電装置は少なくとも１つの始動装置１、少なくとも１つの変速ギヤ装置b、少なくとも１つの重み付けシステム６、発電装置７、配線システム８、電源の始動装置９により構成される。変速ギヤ装置bは変速ギヤ２、３及び５を含む。配線システム８は発電装置７の出力端部及び始動装置１の入力端部に電気接続される。本発明は異なる回転速度とトルクによる異なる回転比の方式を有し、この方式により、まず多くのエネルギーを放出し、それにより発電装置７と始動装置１を始動させる。発電装置７が発電の定格速度に達した時、電力の一部は始動装置を始動させるために直接用いられ、それにより自動操作の発電機能を実行することで電力を節約するのである。
【００１０】
電源の始動装置９が初期駆動出力を供給し、変速ギヤ装置"b"を介して始動装置１を始動させる時、同軸ギヤ２及び３は速度を変化させ、ギヤ５に伝送される多くのエネルギーを放出するためトルクを作り出す。ギヤ５は速度を変化させ、重み付けシステム６とこの重み付けシステム６と同軸にある発電装置７を駆動させ、発電という目的を果たす。ギヤ３の直径はギヤ２及び５の直径よりも大きい。大小異なるギヤの速度変化により多くのエネルギーが生成され、また重み付けシステムの回転が重力速度を生み出し、その結果多くのエネルギーを生成し、それにより発電の負荷と発電装置７による電力消費の負荷のバランスが保たれる。そのため発電装置７が発電の定格速度に達し、発電を始めた時、電力の一部は、始動装置１を始動させるために直接用いられ、それにより発電と電力供給を行うのである。
【００１１】
実際には、発電装置７により生成される電力が４ KWのことを仮定すると、始動装置１が１ KW必要としている場合は、残った電力は約３ KWとなる。本発明では多くのエネルギーが、大小異なるギヤ２、３及び５を有するギヤ装置を介して得られ、及び重み付けシステム６の操作を介して得られ発電運転のために用いられるが、この残った電力はこれら多くのエネルギーを介して用いることができる。
【００１２】
要約すれば、本発明に基づく省エネ型で環境にやさしい発電装置は電力節約及び電力の十分な利用を提供するものである。残った電力はリサイクル可能であり、最も効果的な方法で使用できる。
【００１３】
以下に本発明のより詳細な説明を行う。通常、発電装置を始動させる運動エネルギーは発電目的の動作電力の２〜３倍である。即ち、４ KWの動作電力を生成する発電装置では、この発電装置の始動に必要となるのは８〜１２ KWである。そのため、始動時の運動エネルギーが動作電力と同じなら、この運動エネルギーで発電装置を始動させることは不可能である。
【００１４】
従って、本発明では小電力の始動装置１を用いて、大電力の発電装置７を駆動して操作し、その結果発電し電力供給を行うことを特徴としている。本発明は大小異なるギヤ２及び３を有する変速ギヤ装置を用い、回転速度を変えることによりトルクを作り出し、それにより始動装置の運動エネルギーの数倍に達するエネルギーを放出するものである。そして変速は発電装置７に接続したギヤ５に応用され、発電の目的を満たすのに必要な定格速度とエネルギーを供給する。重み付けシステム６は回転して重力速度を作り出すが、多くのエネルギーはこの重み付けシステム６の操作により生成され、発電の負荷と発電装置７による電力消費の負荷のバランスを保つ。その結果、始動装置７は発電のための稼動を正常で持続的に行う。そしてここで生成された電力は、配線システム８を通して始動装置１に供給され、残った電力は出力され消費に供することができるのである。
【図面の簡単な説明】
【００１５】
【図１】本発明に基づく省エネ型で環境にやさしい発電装置を示した表示図である。
【符号の説明】
【００１６】
１  始動装置
２、３、５  ギヤ
６  重み付けシステム
７  発電装置
８  配線システム
９  電源の始動装置
ｂ  変速ギヤ装置
【図１】
2006300058.tif 000003